(57)【要約】【課題】少量の溶媒の使用により、インクにより筆跡が直接記載されている被処理体における筆跡の消失を行う方法、及びその装置を提供する。【解決手段】ｄ−リモネンを主成分とする溶媒を有する吸着材４を処理容器１１に収容し、インクにより筆跡２が直接記載されている被処理体１を処理容器１１に供給して回転又は振動させ、前記被処理体１に吸着材４を動的に接触させてインクの筆跡２を溶媒の化学的作用により消失させるようにした。【選択図】図１
2010095677.tif 000002
【特許請求の範囲】
【請求項１】
ｄ−リモネンを主成分とする溶媒を有する吸着材を、インクにより筆跡が直接記載されている被処理体に動的に接触させ、前記筆跡を溶媒の化学的作用により消失させるようにしたことを特徴とする被処理体における筆跡消失方法。
【請求項２】
ｄ−リモネンを主成分とする溶媒を有する吸着材と、回転又は振動する処理容器とを有し、前記処理容器に、前記吸着材とインクにより筆跡が直接記載されている被処理体を収納して揺動し、前記吸着材を被着体に動的に接触させて筆跡が消失された被処理体を回収するようにしたことを特徴とする被処理体における筆跡消失装置。
【発明の詳細な説明】
【技術分野】
【０００１】
本発明は、例えば、複数のプラスチック容器等の被処理体にインクなどにより直接記載された筆跡の消失方法及びその装置に関するものである。
【背景技術】
【０００２】
例えば、特開２００８−８０６３８号公報に記載の筆跡消失方法、及び筆跡消失装置は、基材と、基材の少なくとも一方の表面に形成された記録媒体の表面に、インキにより筆記した筆跡を、沿面放電またはコロナ放電により発生させた酸化性ガスに曝して、筆跡を消去するようにした構成である。
【特許文献１】２００８−８０６３８公報
【発明の開示】
【発明が解決しようとする課題】
【０００３】
しかし、特許文献１に記載の筆跡消失方法、及び筆跡消失装置は、筆記済み媒体を導電性エンドレスベルトに載せて放電電極との間でコロナ放電により発生させた酸化性ガスに曝して、筆跡を消去するようにしており、放電電極と筆記済み媒体との間の距離が３０ｍｍ以下であるため、それ以上の高さを有するペットボトル、点滴ボトルのような液体容器にインキにより直接記載した筆跡の消去には適しておらず、改善が望まれていた。
【０００４】
本発明は、液体容器のような高さを有する容器にインクなどによる筆跡が直接記載されている被処理体における筆跡の消失を行う方法、及びその装置を提供することを目的とする。
【課題を解決するための手段】
【０００５】
請求項１に係る発明は、ｄ−リモネンを主成分とする溶媒を有する吸着材を、インクにより筆跡が直接記載されている被処理体に動的に接触させ、前記筆跡を溶媒の化学的作用により消失させるようにしたことを特徴とする被処理体における筆跡消失方法である。
【０００６】
また、請求項２に係る発明は、ｄ−リモネンを主成分とする溶媒を有する吸着材と、回転又は振動する処理容器とを有し、前記処理容器に、前記吸着材とインクにより筆跡が直接記載されている被処理体を収納して揺動し、前記吸着材を被着体に動的に接触させて筆跡が消失された被処理体を回収するようにしたことを特徴とする被処理体における筆跡消失装置である。
【発明の効果】
【０００７】
本発明は、吸着材の溶媒を、インクなどにより筆跡が直接記載されている被処理体に動的に接触させて、被処理体における筆跡の消失を行うことができる。
【０００８】
筆跡が消失された被処理体の本体は、リサイクルのために次の工程、例えば破砕工程に進めることができる。この被処理体の本体は、インクの筆跡が消失されているため、環境保全に役立つと認められた商品向け原料に、全量向けることができる。
【発明を実施するための最良の形態】
【０００９】
以下、本発明の実施例を図面を参照して説明する。
【実施例１】
【００１０】
図１は、筆跡消失装置の実施例１を示す側面図、図２は、吸着材を例示するスポンジ状部材、不織布、用具の斜視図、また、図３は、図２に示した用具の一部欠截断面図、図４は、インクにより筆跡が直接記載されている被処理体を例示する斜視図である。以下の説明において、被処理体の例として使用済みの点滴ボトルを採用した。
【００１１】
点滴ボトル１は、油性又は水性のインクを使用したペンで患者の氏名や使用法その他情報が表面に直接書き込まれたもので、インクにより筆跡２が直接記載されている。使用済みの点滴ボトル１は、純度が高く回収して再利用するため、及び看護婦などが使用済みになったら切断することがあるので、点滴ボトル単体の他に、点滴ボトルの切断材、或いは、ボトルを微細に粉砕する粉砕機から出る微細（例えば１ｍｍ程度）な破砕粒も含むものである。
【００１２】
一方、溶媒Ｓには、ｄ−リモネンを主成分とする溶媒、所謂オレンジオイルを用いる。このオレンジオイルは、柑橘類の果皮に含まれる天然成分であるため、人体に対して安全性がきわめて高いし、独特の芳香によって、作業時の環境を良好にすることができる。
【００１３】
従って、ｄ−リモネンを主成分とするオレンジオイルは、化学的作用により筆跡２を消失させるものであり、溶媒Ｓとして適したものである。
【００１４】
図１は、筆跡消失装置１０の側面図である。図１において、筆跡消失装置１０は、上部に開口１１ａ及び蓋１１ｂを有するつぼ形の処理容器１１と、この処理容器１１の支持台１２とにより構成されている。蓋１１ｂは、柔軟なシート材を開口１１ａに紐で取付けて代用することができる。
【００１５】
前記処理容器１１は、下部近傍の外周にフランジ１３が設けられ、このフランジ１３の下面にギア１４が形成され、また、底部中心に位置して図示しない軸部が外部に突出して設けられている。
【００１６】
前記支持台１２は、矩形枠状の底部１５ａの対向する側辺に２本の支柱の上部を連結材１５ｂで接合した１対のコ字形枠１５，１５が立設されている。また、底部１５ａは、下部の前後左右に４つの車輪２１が取付けられていて、筆跡消失装置１０を移動できるようになっている。
【００１７】
前記連結材１５ｂは、中央に後述する円弧状の支持部材１６の両端を取付けるための係合部１５ｃが設けられている。支持部材１６は、処理容器１１の底面に沿うように取付けられ、中央部に設けられた軸受け部に処理容器１１の軸部が装着されて、処理容器１１を回転可能に支持している。また、一方の係合部１５ｃは、従動プーリ１８とともに従動プーリ１８の軸１８ｂに固定された軸部歯車１８ａが回転可能に取付けられている。
【００１８】
底部１５ａには、モータＭ及び中間プーリ１７が離間して設けられている。中間プーリ１７は、モータＭの駆動軸に装着されたモータプーリ１９とベルト２０ａで連結されている。また、中間プーリ１７に同軸に固定されている軸部プーリ１７ａは、従動プーリ１８とベルト２０ｂで連結されている。従動プーリ１８は、その軸１８ｂに固定された軸部歯車１８ａが処理容器１１のフランジ１３の下面に設けられたギア１４に噛合わされているので、従動プーリ１８が回転すると、処理容器１１が低速で回転駆動される。
【００１９】
次に、筆跡消失装置１０の動作について説明する。溶媒Ｓを有する多数の吸着材４，４，・・を処理容器１１内に収納しておく。そして、インクにより筆跡２が直接記載されている被処理体１を処理容器１１に供給して上部の蓋１１ｂを閉じて開口１１ａを塞ぐ。
【００２０】
吸着材４は、ｄ−リモネン溶媒を含ませたり、付着させたりして使用するので、ｄ−リモネン溶媒に溶けない素材のスポンジ状部材４ａ、或いは不織布４ｂを使用する。また、吸着材４は、ｄ−リモネンを極少量だけ浸み出させる用具４ｃを使用してもよい。
【００２１】
用具４ｃの例としては、一端に開口５０ａを有する有底な筒状の容器５０の壁部５１に細孔５２を複数設け、ｄ−リモネン溶媒に溶けない素材からなる複数の浸み出し部材５３を埋設し、容器５０内にｄ−リモネン溶媒を充填し、蓋材５４にて開口５０ａを閉塞してなる。
【００２２】
処理容器１１は、図１に示すような所定立体角度となるように設置され、モータＭを駆動することによりモータプーリ１９が回転する。モータプーリ１９は、回転するとベルト２０ａを駆動して中間プーリ１７及び中間プーリ１７に同軸に固定されている軸部プーリ１７ａを回転させる。また、軸部プーリ１７ａは、回転するとベルト２０ｂを駆動して従動プーリ１８及び従動プーリ１８に同軸に固定されている軸部歯車１８ａを回転させる。軸部歯車１８ａは、回転すると軸部歯車１８ａと噛合っているフランジ１３の下面に設けられたギア１４を駆動して、処理容器１１を周方向に回転させる。
【００２３】
処理容器１１の回転により、溶媒Ｓを有する多数の吸着材４，４，・・は、インクにより筆跡２が記載されている被処理体１と混ぜ合わされて動的に接触する。これにより、処理容器１１において、回転中に吸着材４が被処理体１の表面を擦るので、吸着材４に含浸された溶媒Ｓが被処理体１に動的に接触し、インクの筆跡２を溶媒の化学的作用により消失させる。その後、各被処理体１の筆跡２が消失したら、被処理体１を回収する。
【実施例２】
【００２４】
図５は、筆跡消失装置の実施例２を示す斜視図である。筆跡消失装置３０は、軸体３１の両端を所定高さに固定して水平に保持する支持台３２と処理容器３３と、駆動用のモータ３４とにより構成されている。そして、処理容器３３は、前板３３ａ、後板３３ｂ、側板３３ｃ，３３ｄを有する四角い箱形である。この処理容器３３は、前板３３ａが軸体３１に並行配置されるとともに、前板３３ａの両端近傍が軸体３１に回転可能に固定されている。処理容器３３は、片方の側板３３ｃの外部に回転プーリー３５が取り付けられていて、その軸３５ａは、側板３３ｃの外面に垂直に突出して設けられている。
【００２５】
また、モータ３４の回転軸には、回転プーリー３５と当接して上下動させるカム３６が固定されている。カム３６は、半径の長さが最小から最大に長くなる同形部分が等角度間隔で複数形成され、モータ３４の回転により回転プーリー３５との当接部（上部）における半径の長さが最小から最大になる状態を繰り返す。
【００２６】
以上の構成において、筆跡消失装置３０は、モータ３４を駆動すると、カム３６が回転して回転プーリー３５との当接部における半径の長さが最小から最大になる状態を繰り返し、回転プーリー３５を上下動させる。これにより、処理容器３３は、前板３３ａ側を支点として後板３３ｂ側が上下動して、溶媒Ｓを有する多数の吸着材４及びインクにより筆跡２が直接記載されている被処理体１を振動させる。筆跡消失装置３０は、処理容器３３が振動することにより、吸着材４，４，・・が被処理体１と混ぜ合わせされて動的に接触し、インクの筆跡２を溶媒の化学的作用により消失させる。
【実施例３】
【００２７】
図６は、筆跡消失装置の実施例３を示す斜視図である。筆跡消失装置４０は、クランク機構４１と、処理容器４２と、駆動用のモータ４３とにより構成されている。
【００２８】
クランク機構４１は、モータ４３により回転し、上部に突起４４ｂが設けられている円盤カム４４ａと、突起４４ｂが遊嵌される長孔４４ｃが一端近傍に設けられたクランク軸４４ｄと、一端近傍がクランク軸４４ｄの他端と回動可能に接続された連結ロッド４４ｅとから構成されている。
【００２９】
処理容器４２は、前板４２ａ、後板４２ｂ、側板４２ｃ，４２ｄを有する四角い箱形であり、前板４２ａの中央部に連結ロッド４４ｅの他端が回動可能に接続されて、連結ロッド４４ｅを前方に突出して固定されている。処理容器４２の下部には複数のローラ４５，４５・・・が、前板４２ａ及び後板４２ｂと平行に配置され、また、処理容器４２の側板４２ｃ，４２ｄに沿う外側には、ガイドレール４６，４６が設けられている。
【００３０】
以上の構成において、筆跡消失装置４０は、モータ４３を駆動すると、円盤カム４４ａの上部に設けられている突起４４ｂが円運動する。クランク軸４４ｄは、突起４４ｂが遊嵌されている長孔４４ｃが突起４４ｂとともに円運動することで、連結ロッド４４ｅが長手方向に引かれ、又は、押されることが繰り返される。
【００３１】
これにより、処理容器３３は、前後移動を繰り返して、溶媒Ｓを有する多数の吸着材４及びインクにより筆跡２が直接記載されている被処理体１を振動させる。筆跡消失装置４０は、処理容器４２が振動することにより、吸着材４，４，・・が被処理体１と混ぜ合わせされて動的に接触し、インクの筆跡２を溶媒の化学的作用により消失させる。
【図面の簡単な説明】
【００３２】
【図１】筆跡消失装置の実施例１の一部欠截側面図である。
【図２】は吸着材を例示するスポンジ状部材、不織布、用具の斜視図である。
【図３】は、図２に示した用具の一部欠截断面図である。
【図４】インクにより筆跡が直接記載されている被処理体を例示する斜視図である。
【図５】筆跡消失装置の実施例２の斜視図である。
【図６】筆跡消失装置の実施例３の斜視図である。
【符号の説明】
【００３３】
１  点滴ボトル
２  筆跡
４  吸着材
４ａ  スポンジ状部材
４ｂ  不織布
４ｃ  用具
１０，３０，４０  筆跡消失装置
１１，３３，４２  処理容器
１１ａ  開口
１１ｂ  蓋
１２  支持台
１３  フランジ
１４  ギア
１５  コ字形枠
１５ａ  底部
１５ｂ  連結材
１５ｃ  係合部
１６  支持部材
１７  中間プーリ
１７ａ  軸部プーリ
１８  従動プーリ
１８ａ  軸部歯車
１８ｂ  従動プーリの軸
１９  モータプーリ
２０ａ，２０ｂ  ベルト
２１  車輪
３１  軸体
３２  支持台
３３ａ，４２ａ  前板
３３ｂ，４２ｂ  後板
３３ｃ  ３３ｄ，４２ｃ，４２ｄ側板
３４，４３，Ｍ  モータ
３５  回転プーリー
３６  カム
４１  クランク機構
４４ａ  円盤カム
４４ｂ  突起
４４ｃ  長孔
４４ｄ  クランク軸
４４ｅ  連結ロッド
４５  ローラ
４６  ガイドレール
５１  ボトル
５１ｂ  開口部
５２  中蓋
５２ａ  中軸穴
５３  浸み出し部材
５４  キャップ
【図１】
2010095677.tif 000003
【図２】
2010095677.tif 000004
【図３】
2010095677.tif 000005
【図４】
2010095677.tif 000006
【図５】
2010095677.tif 000007
【図６】
2010095677.tif 000008